(57)【要約】【課題】スロットマシン自体は改造せずに不正な確率設定値の設定ないし変更をリアルタイムで検出することができる。【解決手段】電源装置と、当り確率の設定または変更を許可する設定許可錠と、確率設定値が確率設定手段により設定されたときに、この設定された確率設定値を、実行すると共に、クレジット確率表示器１１ｂに表示させる制御器と、を有するスロットマシン１と、電源装置に接続された電源線の外面に装着されて、この電源線の通電の有無を検出する電流センサー１７と、クレジット確率設定値表示器に、これに表示される当り確率設定値を読取り可能に配設された光センサー１８と、電流センサーにより電源装置の通電オフを検出した後、所要時間経過後、再度通電オンを検出したときに、上記当り確率が設定または変更されたと判断し、上記光センサーから読み出した確率設定値を表示手段に表示させるホールコンピュータ２２と、を具備している。【選択図】  図１
2005013426.tif 000002
【特許請求の範囲】
【請求項１】
電力を供給する電源装置と、当り確率設定値を設定する確率設定手段と、この確率設定手段による上記当り確率の設定または変更を許可する設定許可手段と、上記電源装置の電源停止時に上記設定許可手段により上記確率設定値の設定または変更が許可された後、再びこの電源装置の運転がオンされてから上記確率設定値が上記確率設定手段により設定または変更されたときに、その確率設定値を記憶すると共に実行するように運転し、当り確率設定値表示器に表示させる制御手段と、を有するスロットマシンと、
上記電源装置に接続された電源線の外面に装着されて、この電源線の通電の有無を検出する電流センサーと、
上記当り確率設定値表示器に、これに表示される当り確率設定値を読取り可能に配設された光センサーと、
上記電流センサーにより上記電源線の通電オフを検出した後、所要時間経過後、再度通電オンを検出したときに、上記当り確率設定値の設定または変更が許可されたと判断し、上記光センサーから読み出した確率設定値を監視する確率設定値監視手段と、を具備していることを特徴とするスロットマシン監視システム。
【請求項２】
上記確率設定値監視手段は、予め設定された所定時刻に設定された上記当り確率設定値を正規の設定であると判断する一方、この正規の設定時刻以外に当り確率設定値が設定または変更されたときに、その設定または変更が不正設定であると判断して警報を出力する警報出力手段を有することを特徴とする請求項１記載のスロットマシン監視システム。
【請求項３】
上記確率設定値監視手段は、上記複数のスロットマシン毎の当り確率設定値をスロットマシン毎に集計し管理する確率設定値集計管理手段を有することを特徴とする請求項１または２記載のスロットマシン監視システム。
【請求項４】
上記確率設定値監視手段は、上記確率設定値の履歴を上記スロットマシン毎またはこれらスロットマシンを設置する店舗毎に記録する確率設定値履歴記録手段と、この履歴を表示する表示手段と、を有することを特徴とする請求項３記載のスロットマシン監視システム。
【請求項５】
上記確率設定値監視手段は、上記スロットマシンの複数台が設置された店舗に配設されたホールコンピュータに設けられ、このホールコンピュータは、この店舗に設置された両替機、プリペイド発券機、コイン貸出機、各種自動販売機、コイン自動補給・回収装置、自動ドア等店舗設置の少なくとも１種類の機器からその機器の動作トラブルの発生を示すトラブル信号を受信し、そのトラブル発生を表示手段に表示させるトラブル警報手段と、上記自動ドアからのドア開信号とドア閉信号とを受信し、そのドア開閉信号に基づいて顧客の入店者数を求める入店者数演算手段と、を有することを特徴とする請求項１〜４のいずれか１項に記載のスロットマシン監視システム。
【請求項６】
予め設定された当り確率設定値を示す確率設定値信号を出力する確率設定値出力端子を有するスロットマシンと、
上記確率設定値出力端子から上記確率設定値信号を受けてこの当り確率設定値の設定または変更の履歴を記録する一方、予め設定された所定時刻以外に上記当り確率設定値が変更されたとき、当り確率設定値が不正に変更されたと判断して警報を出力し、この警報と上記確率設定値履歴とを表示手段にリアルタイムで表示させる確率設定値監視手段と、を具備していることを特徴とするスロットマシン監視システム。
【発明の詳細な説明】
【０００１】
【発明の属する技術分野】
本発明は、スロットマシン監視システムに係り、特に、当り確率の設定値を不正に変更する不正行為を、スロットマシン自体は改造せずに監視し検出するスロットマシン監視システムに関する。
【０００２】
【従来の技術】
一般に、スロットマシンは、遊技者のスタートレバーによるスタート操作により複数のリールを回転させる一方、遊技者によりこれらリールの回転を各リール毎の停止ボタンによる停止操作により停止させるように構成されている。
【０００３】
そして、これら回転リールの停止の際に、各リールに対応する表示窓に表示される各図柄等のシンボルが予め設定された特定の組合せに該当したときに、当りとして予め設定された当り確率設定値に従って所定枚数のコインを払い出すように構成されている。
【０００４】
このような当り確率はコインの払い出し率（出玉率ともいう）によって、例えば１〜６までの６段階に設定可能であり、設定値１の当り確率が最も低く、コイン払い出し率も最も低い。一方、設定値の数字が大きくなるほど当り確率が漸次高くなり、設定値６の当り確率が最も高く、コイン払い出し率も最も高くなる。この当り確率設定値は確率設定手段により設定される。
【０００５】
この確率設定手段は各スロットマシン毎に内蔵されたマイクロプロセッサー等よりなる制御器の一機能であり、複数のスロットマシンを設置した遊技店であるホールでは、自店の営業方針等に応じて店長やマネージャー等確率設定権限を有する担当者による所定の設定操作手順により設定されるようになっている。
【０００６】
すなわち、確率設定操作手順は、まずスロットマシンの電源スイッチをオフにしてから、前面パネルを開扉し、設定キーを設定許可錠に挿入し所定方向へ回動させるキー操作により設定許可モードに切替える。この後、再び電源スイッチをオンにする。
【０００７】
しかる後に、３個のリール回転停止ボタンのうちの所要の停止ボタンと兼用の設定ボタンを押して１〜６の設定値を設定し、スタートレバー（またはスタートボタン）と兼用の設定決定具の決定操作により決定される。この決定された確率設定値は制御器の確率設定値記憶手段に設定され、制御器はこの確率設定値に従って、リールの回転停止を制御して当り確率設定値を実行すると共に、この設定された確率設定値を７セグメントＬＥＤ表示器等の設定値表示器に所定時間だけ表示させる。
【０００８】
そして、このような従来のスロットマシンでは、設定キーや電源装置のスイッチを、遊技客や設定担当者以外の者により操作されて設定値が変更されないように前面パネルの内方へ内蔵している。
【０００９】
しかしながら、このような従来のスロットマシンでは当り確率の設定値を変更する不正行為を防止する手段がなかった。このために、不正者はスロトマシンの前面パネルに小孔を穿設し、この小孔から、ドライバー等の操作棒を挿入して電源スイッチをオフオン操作し、さらに、設定許可錠のシリンダーに接続された導線をショートさせることにより、設定許可信号を出力させてストップボタンの押圧操作により確率設定値を例えば当り確率が最大の６等に変更しており、不正行為を必ずしも防止することができなかった。
【００１０】
しかも、風俗営業適正化法では、一旦所轄官庁から許可されたスロットマシンについては改造が禁止されているので、例えば不正防止手段等をスロットマシンの導線等に直接接続することは改造として禁止されている。
【００１１】
そこで、従来のスロットマシンの中には、電源装置の２本一対の引込み線の一方側の途中にクランプ式変流器を設け、この変流器により電源オフを検出したときに、制御器により警報用のフラッシュランプを点滅させて不正を警報するスロットゲーム機の不正行為報知装置が提案されている（例えば特許文献１参照）。
【００１２】
【特許文献１】
特開２００３−１５４０５２号公報
【００１３】
【発明が解決しようとする課題】
しかしながら、このような従来の不正行為報知装置では、スロットマシンの電源スイッチをオフにする行為を検出することができるものの、確率設定値を変更するような不正行為を検出することはできない。
【００１４】
すなわち、確率設定値を変更するためには、電源スイッチ・オフ→設定キー操作（設定許可モード）→電源スイッチオン→設定値変更操作→設定値変更決定の一連の操作が必要であるにも拘らず、従来の不正行為報知装置は最初の操作の電源スイッチ・オフしか検出していないので、確率設定値の変更という不正行為を検出できないという課題がある。
【００１５】
また、この不正行為報知装置では、何らかの電源トラブルによりスロットマシンの電源電流が停止したときでも、不正行為として検出してしまうという課題もある。
【００１６】
さらに、この不正行為報知装置では、確率設定値の変更値を検出ないし表示することができないうえに、その設定値変更の履歴を表示することもできない。
【００１７】
さらにまた、ホールの店長やマネージャー等正規の確率設定変更権限者により正規の確率を設定するために電源スイッチをオフにしたときでも警報フラッシュランプが点滅して不正行為を警報してしまうという課題がある。このために、正規に確率設定値を変更する場合には、事前に不正行為報知装置の運転を停止させておく操作が必要となり、煩雑である。
【００１８】
本発明はこのような事情を考慮してなされたもので、その目的は、スロットマシン自体は改造せずに不正な確率設定値の設定または変更をリアルタイムで検出することができるスロットマシン監視システムを提供することにある。
【００１９】
【課題を解決するための手段】
本願請求項１に係る発明は、電力を供給する電源装置と、当り確率設定値を設定する確率設定手段と、この確率設定手段による上記当り確率の設定または変更を許可する設定許可手段と、上記電源装置の電源停止時に上記設定許可手段により上記確率設定値の設定または変更が許可された後、再びこの電源装置の運転がオンされてから上記確率設定値が上記確率設定手段により設定または変更されたときに、その確率設定値を記憶すると共に実行するように運転し、当り確率設定値表示器に表示させる制御手段と、を有するスロットマシンと、上記電源装置に接続された電源線の外面に装着されて、この電源線の通電の有無を検出する電流センサーと、上記当り確率設定値表示器に、これに表示される当り確率設定値を読取り可能に配設された光センサーと、上記電流センサーにより上記電源線の通電オフを検出した後、所要時間経過後、再度通電オンを検出したときに、上記当り確率設定値の設定または変更が許可されたと判断し、上記光センサーから読み出した確率設定値を監視する確率設定値監視手段と、を具備していることを特徴とするスロットマシン監視システムである。
【００２０】
本願請求項２に係る発明は、上記確率設定値監視手段は、予め設定された所定時刻に設定された上記当り確率設定値を正規の設定であると判断する一方、この正規の設定時刻以外に当り確率設定値が設定または変更されたときに、その設定または変更が不正設定であると判断して警報を出力する警報出力手段を有することを特徴とする請求項１記載のスロットマシン監視システムである。
【００２１】
なお、本請求項２以下において、「正規の設定時刻」とは正規の確率設定値の設定を開始する時刻から終了する時刻までの所要時間を示す。
【００２２】
本願請求項３に係る発明は、上記確率設定値監視手段は、上記複数のスロットマシン毎の当り確率設定値をスロットマシン毎に集計し管理する確率設定値集計管理手段を有することを特徴とする請求項１または２記載のスロットマシン監視システムである。
【００２３】
本願請求項４に係る発明は、上記確率設定値監視手段は、上記確率設定値の履歴を上記スロットマシン毎またはこれらスロットマシンを設置する店舗毎に記録する確率設定値履歴記録手段と、この履歴を表示する表示手段と、を有することを特徴とする請求項３記載のスロットマシン監視システムである。
【００２４】
本願請求項５に係る発明は、上記確率設定値監視手段は、上記スロットマシンの複数台が設置された店舗に配設されたホールコンピュータに設けられ、このホールコンピュータは、この店舗に設置された両替機、プリペイド発券機、コイン貸出機、各種自動販売機、コイン自動補給・回収装置、自動ドア等店舗設置の少なくとも１種類の機器からその機器の動作トラブルの発生を示すトラブル信号を受信し、そのトラブル発生を表示手段に表示させるトラブル警報手段と、上記自動ドアからのドア開信号とドア閉信号とを受信し、そのドア開閉信号に基づいて顧客の入店者数を求める入店者数演算手段と、を有することを特徴とする請求項１〜４のいずれか１項に記載のスロットマシン監視システムである。
【００２５】
本願請求項６に係る発明は、予め設定された当り確率設定値を示す確率設定値信号を出力する確率設定値出力端子を有するスロットマシンと、上記確率設定値出力端子から上記確率設定値信号を受けてこの当り確率設定値の設定または変更の履歴を記録する一方、予め設定された所定時刻以外に上記当り確率設定値が変更されたとき、当り確率設定値が不正に変更されたと判断して警報を出力し、この警報と上記確率設定値履歴とを表示手段にリアルタイムで表示させる確率設定値監視手段と、を具備していることを特徴とするスロットマシン監視システムである。
【００２６】
【発明の実施の形態】
以下、本発明の実施形態を添付図面に基づいて説明する。なお、これら添付図面中、同一または相当部分には同一符号を付している。
【００２７】
図１は本発明の第１の実施形態に係るスロットマシン監視システムの全体構成を示すブロック図、図２は図１で示すスロットマシンの前面斜視図、図３は図２で示すスロットマシンの前面パネルを開扉した状態の斜視図である。
【００２８】
これら図２，図３で示すようにスロットマシン１はキャビネット２の一側端に、前面パネル３の一側端を開閉自在に取り付けている。前面パネル３の前面ほぼ中央部には、第１，第２，第３の３個の表示窓４ａ，４ｂ，４ｃを横方向に所定の間隔を置いて配設し、これら表示窓４ａ〜４ｃの上，中，下の３箇所にて種々の図柄（シンボル）を表示するようになっている。
【００２９】
これら表示窓４ａ〜４ｃの図中左側方には、ベットライン表示部５が配設されている。ベットライン表示部５は例えばコイン賭数が１枚のときはベットライン表示部５の上下方向中段の「１」が点灯され、中段の横ラインだけが当りの判定ラインであることを示し、コイン賭数が２枚のときは中段の「１」とその上下に位置する「２」が点灯され、上，中，下段３本の横ラインが判定ラインであることを示し、これら判定ライン上にて予め設定された当りの図柄が揃ったときに当りと判定される。これら表示窓４ａ〜４ｃの上方には液晶等からなる情報表示部６が配設されている。
【００３０】
これら図柄は各表示窓４ａ〜４ｃの上中下３箇所に対応してキャビネット２の内部に配置した第１，第２，第３の３個のリール７ａ，７ｂ，７ｃの外周面に描かれている。
【００３１】
そして、前面パネル３の前面中央部には、第１〜第３の表示窓の各々下方にて第１，第２，第３ストップボタン８ａ，８ｂ，８ｃをそれぞれ配設し、これらストップボタン８ａ〜８ｃの押圧操作により各々のリール７ａ〜７ｃの回転を停止させるようになっている。
【００３２】
第１ストップボタン８ａの図中左側方にはスタートレバー９を配設している。このスタートレバー９はその押し下げ操作等により各リール７ａ，７ｂ，７ｃを一斉に回転させる機能と、後述する当り確率設定操作時には、その押し下げ操作により設定値を決定させる機能とを有する。
【００３３】
第３停止ボタン６ｃの右側方にはコイン投入口１０が配設され、このコイン投入口１０の上方には、このコイン投入口１０へのコイン投入が可能であることを示すコイン投入可能ランプ１１ａが配設されている。このコイン投入可能ランプ１１ａの上方には７セグメントＬＥＤ等からなるクレジット／設定値表示部１１ｂが配設されている。
【００３４】
このクレジット／設定値表示部１１ｂは当り確率設定値の表示部と兼用されており、その確率設定値の設定中には、その確率設定値のみが表示され、その設定値が決定した時は、その決定値を所要時間表示した後、再びクレジット表示等に切替えられるようになっている。なお、図２中、符号１２はコイン貯留受皿である。
【００３５】
図３に示すようにキャビネット２内には、各リール７ａ〜７ｃをそれぞれ回転駆動するリール駆動装置１３、これらリール７ａ〜７ｃの回転駆動を当り確立設定値に従ってそれぞれ制御するリール駆動制御や当り確率の設定値を設定ないし変更の登録（記録）を受ける当り確率設定手段等の制御手段を有するマイクロプロセッサー等よりなる制御器１４、コインを払い出すコイン払い出し機１５、電源装置１６を内蔵している。
【００３６】
電源装置１６は図示しない引込み線等の給電線から電力を受電してスロットマシン１の各受電部に電力を供給するものであり、電源をオンオフ操作するタンブラスイッチ等からなる電源スイッチ１６ａと、図示しない設定キーを挿入させて所要方向に回動させるキー操作により当り確率設定値の設定を許可する設定許可信号を出力する設定許可手段である設定許可錠１６ｂ、とを備えている。この設定許可錠１６からの設定許可信号は制御器１４に与えられ、この後、この設定された確率設定値は制御器１４に与えられて記録手段に記録され、さらに、制御器１４はこの設定された確率設定値に従ってリール駆動装置１３を制御する。
【００３７】
図１はこのように構成されたスロットマシン１の監視システムＡの全体構成を示すブロック図である。このスロットマシン監視システムＡは電流センサー１７を備えている。この電流センサー１７はスロットマシン１の電源装置１６に接続された図示しない各受電部に電力を供給する給電線や電力を受電する受電線等の電源線の外面に着脱可能に装着され、電源線に直接は接続されていない。
【００３８】
この電流センサー１７は例えば電源装置１６の電源線の外面に、着脱可能に挟持させるクランプ式変流器等からなり、この給電線の通電の有無を検出するようになっている。
【００３９】
すなわち、電流センサー１７を電源装置１６の電源線に直接接続すると、風俗営業適正化法等により禁止されているスロットマシン１の改造に該当し、違法になる一方、変流器を電源線に直接接続せずに電源線の被覆の外面にクランプにより取り付ける場合には、改造に該当せず適法である。
【００４０】
スロットマシン１の確率設定値を設定するときは、電源スイッチ１６ａを一旦オフにして電源を落としてから図示しない設定キーを設定許可錠１６ｂに差し込みキー操作をし、この後、再び電源スイッチ１６ａをオンにするので、この電源装置１６の電源オフオンを検出することにより設定行為開始の有無を検出できる。なお、設定キーはホールの店長やマネージャー等確率設定値設定権限を有する者が所持することができる。
【００４１】
また、クレジット／設定値表示部１１ｂの外面には、その表示された数字を読取る透明の光センサー１８が配設されている。この光センサ１８は、このクレジット／設定値表示部１１ｂが当り確率設定値を表示しているときに、その設定値を読み取るようになっている。この光センサー１８もクレジット／設定値表示部１１ｂから設定値信号を直接出力するように結線すると、スロットマシン１の違法な改造に該当するので、これを回避するためにクレジット／設定値表示部１１ｂに対向配置している。光センサー１８はクレジット／設定値表示部１８ｂの７セグメントＬＥＤにより表示される設置値１〜６の数字の各全体を読み取るように構成してもよいが、設定値１〜６の数字を識別し得る特異点のみを表示する７セグメントＬＥＤの一部のみを読み取るように構成してもよく、これによれば光センサー１８の簡素化ないし小型化を図ることができる。
【００４２】
図１に示すように、これら光センサー１８と電流センサー１７の検出信号出力側は各台ユニット１９、入出力ユニット２０、リンクユニット２１を順次介してホールコンピュータ２２に双方向データ通信可能に接続されている。
【００４３】
各台ユニット１９は電流センサー１７からの電流検出信号と、光センサー１８からの設定値読取信号の両アナログ信号をデジタル信号に変換するＡ／Ｄ変換器であり、各スロットマシン１毎に配設されている。
【００４４】
各入出力ユニット２０はホール内で２台のスロットマシン１，１の例えば背中同士を合せて列状に配列することにより構成される、いわば島毎に配設されており、１つの島を構成する複数台のスロットマシン１，１，…の各台ユニット１９，１９，…から電流センサー１７からの電流検出信号と、光センサー１８からの設定値読取信号とを受信し、これら受信信号に各スロットマシン１毎と各島毎とに特定し得る識別符号をそれぞれ付してリンクユニット２１に与えるものである。各スロットマシン１は例えばその島番や配列番号、機械台番号等により識別ないし特定される。
【００４５】
リンクユニット２１は、ホール（店）内の全入出力ユニット２０，２０，…、すなわち、複数の島毎に配設された複数台の入出力ユニット２０，２０，…から、各スロットマシン毎と各島毎に識別された電流検出信号と設定値読取信号とをまとめてホールコンピュータ２２に与える機能を有する。
【００４６】
ホールコンピュータ２２はタッチパネルを装着した表示部２３を有し、例えばホール内に配設され、確率設定値監視手段２２ａ、警報出力手段２２ｂ、設定値集計管理手段２２ｃ、設定値履歴記録手段２２ｄを具備している。これら手段２２ａ〜２２ｄはホールコンピュータ２２のハードウエア資源とソフトウエアとの共働により実行される。
【００４７】
確率設定値監視手段２２ａは各スロットマシン１毎に設定された当り確率の設定値をリアルタイムで監視するものであり、この設定値の正しい設定と、ホールの店員等内部とその外部による不正設定と、それらの設定値およびその変動を監視する機能を有する。
【００４８】
すなわち、確率設定値監視手段２２ａは上記電流センサー１７からの電流検出信号と光センサー１８からの設定値読取信号とを監視することによりホール店長やマネージャー等当り確率設定値を設定する権限を有し、設定キーを所持する設定担当者により所定時刻間に設定された設定値を正規の設定値と判断し、その正規の設定時刻以外の設定ないし変更を不正設定と判断して警報出力手段から警報を出力させる機能を備えている。
【００４９】
当り確率設定値（以下確率設定値という）の正しい設定方法は次の手順により各スロットマシン１毎に行なわれる。
【００５０】
まず、各スロットマシン１の電源スイッチ１６ａをオフ操作する。次に設定キーを設定許可錠１６ｂ内に挿入して所定方向に回動させるキー操作を行なう。これにより、設定許可錠１６ｂのシリンダーに接続された図示しない２線一対の信号線同士が短絡されて設定許可信号が出力可能状態になる。
【００５１】
この後、再び電源スイッチ１６ａをオン操作すると、電源装置１６から設定許可錠１６ｂに所要の電力が給電されるので、この設定許可錠１６ｂの信号線から設定許可信号が出力され、制御器１４に与えられ、確率設定値の設定が許可される。
【００５２】
次に、設定ボタンと兼用の例えば第３ストップボタン８ｃを押すと、押す毎に確率設定値が１から６まで順次サイクリックにクレジット／設定値表示部１１ｂに表示され、所要の確率設定値で表示中にスタートレバー９を押し下げることにより、その確率設定値が決定される。この決定設定値は、所定時間クレジット／設定値表示部１１ｂで表示された後、自動的にクレジット表示に切替えられる。
【００５３】
こうして決定された確率設定値は制御器１４とホールコンピュータ２２にそれぞれ記録される。この確率設定値は風俗営業適正化法によりホール営業日の１日１回に限定されており、一旦設定した確率設定値の変更は禁止されている。
【００５４】
すなわち、スロットマシン１の電源スイッチ１６ａが一旦オフされた後、再びオンされると、その電源電流のオフオンが電流センサー１７により検出され、その電流検出信号が各台ユニット１９、入出力ユニット２０およびリンクユニット２１を介してホールコンピュータ２２に与えられる。
【００５５】
すると、ホールコンピュータ２２は、電流検出信号により検出されたオフ信号とオン信号とを受信した時刻が所要の時刻内であるか否かを判断し、その時刻が所定時刻内であり、かつ設定許可信号を受信したときは、設定が許可されたものと判断し、入出力ユニット２０および各ユニット１９を介して光センサー１８により検出された設定値読取信号を読み込み、その決定設定値を読み込み記録する。
【００５６】
また、ホールコンピュー２２の確率設定値監視手段２２ａは、これら記録された確率設定値が設定された日時を内蔵クロックにより検出し、その設定日時が正規設定日時として予め設定された所定の時刻ないし時間内に設定されているか否かを判断し、Ｙｅｓの場合には正規な設定として記録されるが、その正規設定以外の設定の場合は不正設定として不正設定信号を警報出力手段２２ａに与え、これから警報を出力させる。不正設定としては、ホール店員等内部の者が正規の設定時刻ないし時間以外に設定する場合や外部の者が前面パネル２を破壊して電源スイッチ１６ａをオフにし、設定許可錠１６ｂの一対の信号線をショートさせてから再び電源スイッチ１６ａをオンにして確率設定値を変更する等により正規の設定時刻ないし時間以外に設定する場合等がある。警報は表示部２３に警報が発生した旨を知らせる表示や警報音を出力させるようになっている。なお、不正設定の判断方法としては一日に２度以上確率設定値が設定された場合に、２度目の設定以下の設定を全て不正設定と判断するように構成してもよい。
【００５７】
設定値集計管理手段２２ｃはホールコンピュータ２２に入力された各確率設定値を各スロットマシン１毎に収集し、その設定日時をスロットマシン１のメーカを示す機種名、機械台番号（Ｎｏ）等と関連付けて記録し表示する機能を有する。
【００５８】
そして、設定値履歴記録手段２２ｄはこのように集計した各スロットマシン毎の確率設定値の履歴も所定時間記録し、保存し、必要に応じて適宜表示部２３に表示する機能を有する。
【００５９】
図４はこのように構成されたスロットマシン監視システムＡのホールコンピュータ２２の操作手順をその表示部２３に表示されるタイトル画面に基づいて説明するためのフローチャートであり、図中Ｓに数字を付した符号はフローチャートの各ステップをそれぞれ示す。
【００６０】
図５〜図２０は図４で示す画面の詳細を示す詳細画面のテンプレートを示しており、これら詳細画面には各々対応するタイトル画面と同一の符号を付している。これら画面はタッチパネルの押圧操作により操作される。
【００６１】
図４に示すようにこのスロットマシン監視システムＡを起動すると、まずＳ１で待機画面が表示部２３に表示されて待機状態になる。そこで、この待機画面中のスタート表示ボタンを押すと、次のＳ２で、図５で示す認証画面Ｓ２が表示され、このシステムユーザの認証が行なわれる。
【００６２】
この認証画面Ｓ２では、そのテンキー（図５ではテンキーの詳細を省略）を適宜押してシステムユーザの個人ＩＤ番号と暗証番号を入力すると、本システムの使用、すなわち閲覧が可能（ＯＫ）か否か（ＮＧ）が表示され、「待機画面」への表示ボタンを押すと、再び待機画面へ戻り、「メイン画面へ」の表示ボタンを押すと、次のメイン画面Ｓ３へ進む。
【００６３】
図６に示すようにこのメイン画面Ｓ３にはメインメニューが表示され、ここで「ＩＤ記録」の表示ボタンを押すと、次に図７で示すＩＤ登録・変更画面Ｓ４が表示される。そこで、このＩＤ登録・変更画面Ｓ４中の平仮名入力兼用のテンキーを押して予め配布されている個人ＩＤ番号、暗証番号および氏名を入力して「登録」表示ボタンを押すと、ＩＤ登録が完了する。しかし、「抹消」表示ボタンを押すと、ＩＤ番号が抹消される。その他ＩＤ登録の訂正も行なうことができる。また、個人ＩＤ登録・変更画面Ｓ４で「個人ＩＤ一覧へ」の表示ボタンを押すと、図８で示す個人ＩＤ一覧画面Ｓ５が表示され、これまでに登録されたユーザの個人ＩＤの一覧表が表示される。
【００６４】
一方、メインメニュー画面Ｓ３で「初期登録」表示ボタンを選択して押すと、初期登録画面Ｓ６の日時・時間の登録・変更画面Ｓ７が表示されるので、テンキーを適宜押して現在の日付を入力し、不正設定の警報出力を解除させる警報解除時間帯、例えば、ホールの閉店時間帯等警報を出力させない時間帯として警報の出力を停止させる時刻とその停止を解除させる時刻とを入力することができる。
【００６５】
あるいはシステム解除してから自動開始する迄の時間（分）を入力することにより、システムを自動開始させるように設定してもよい。
【００６６】
図１０で示す台番入力画面Ｓ８ではホール内の警報を出力させるべき全てのスロットマシン１の島番、配列番号、機械台番号をテンキーを適宜使用して予め登録しておく。
【００６７】
さらに図１１で示す機種名登録画面Ｓ９ではやはり文字兼用テンキーの適宜使用により、スロットマシン１のメーカ名である機種名、その機械台番号を入力して登録しておく。
【００６８】
図１２で示す登録参照画面Ｓ１０では各スロットマシン１にそれぞれ設定された確率設定値の履歴をその設定された日や島別、機種別に閲覧するためのメニューが表示される。
【００６９】
図１３で示す近日設定値画面Ｓ１１では、閲覧日（図１３では６月１１日）と、その所要日前、例えば前日前までに確率設定値が設定された全てのスロットマシン１の確率設定値や設定日時の履歴が機械台番号や機種名（メーカ名）と共に一覧表により表示される。この近日設定値画面Ｓ１１において６月１０日と６月１１日では１日に各々２回ずつ設定されているが、午前８時台の設定値が正規の時間帯での正しい確率設定値であり、正規の各率設定値が１日１回であれば、２度目の確率設定値が不正設定であり、その確率設定値を確認することができる。
【００７０】
図１４で示す期日設定値画面Ｓ１４では、ユーザにより指定した日（図１４では○○年６月１１日）に設定された確率設定値およびその設定日（つまり指定日）に設定された日時、機械台番号、機種名が表示される。この期日設定値画面Ｓ１４においては、例えば機械台番号（Ｎｏ）が０１２２のスロットマシン１の確率設定値が６月１１日（６・１１）の午後８時２８分（ＰＭ０８：２８）に「６」に設定され、同日午後１１時５０分（ＰＭ１１：５０）に「６」に設定されているが、これは同日午前８時２０分（０８：２０）に設定された確率設定値１から一気に当り確率の高い設定値に設定されていることを確認することができる。また、この期日（図１４では６月１１日）の午前０８：２０に設定された確率設定値が正規の設定であれば、この正規設定値以外の同日１１２時１０分（１２：１０）の確率設定値「１」と、「２」「６」は不正設定であり、その不正設定の際に、ホールコンピュータ２２から自動的に警報が出力される。
【００７１】
図１５で示す島別設定値画面Ｓ１３には各スロットマシン１の確率設定値の履歴がその機械台Ｎｏ（番号）、機種名と共に島毎（図１５では島番０３）に表示される。
【００７２】
図１６で示す機種別設定値画面Ｓ１４には各スロットマシン１の確率設定値の履歴がその機械台Ｎｏ（番号）と共に、機種名（スロットマシン１のメーカ名）毎に表示される。
【００７３】
そして、これら近日，期日，島別，機種別の設定値画面１３〜１６と図１７で示す検索履歴画面Ｓ１５はその画面中の十字状矢印カーソルキーの各矢印の部分を押すことにより、その矢印で示す方向の上下矢印方向にスクロールし、または左右矢印方向に一覧表を移動させることができる一方、画面１３〜１６中の印刷表示ボタンを押すことにより、これら画面に表示された情報を紙にそれぞれ印刷することができる。
【００７４】
図１７で示す検索履歴画面Ｓ１５は確率設定値の検索や参照（閲覧）等のためにホールコンピュータ２２を使用する際に、上記ＩＤ登録・変更画面Ｓ４に登録したユーザ名である参照者名と、その参照日時、このユーザが参照した情報の参照内容（例えば確率設定値の参照や確率設定値の履歴の検索）を表示している。これにより、ホール店員等内部の者によりホールコンピュータ２２を操作して確率設定値等のデータを検索閲覧した当該ユーザの検索履歴を確認することができる。
【００７５】
図１８で示す警報発生画面Ｓ１６はスロットマシン監視システムＡにより不正設定を発見し、警報を出力するときに最優先で表示される画面であり、不正設定されたスロットマシン１の機械台番号（Ｎｏ）を表示すると共に、所要の警報音を出力する。この警報発生画面Ｓ１６は表示部２３に他の画面が表示中のときは、この表示中画面と共に、または切替って表示され、表示部２３に他の画面が全く表示されていないときも表示されて警報を出力し、不正設定発生の注意を喚起する。
【００７６】
図１９で示す警報解除画面Ｓ１７は警報発生画面Ｓ１６で出力中の警報の出力を解除させる場合に解除表示ボタンを表示し、この解除表示ボタンが押されたときに警報を解除させることができる。
【００７７】
図２０で示すシステム解除画面Ｓ１８では、スロットマシン監視システムＡ自体が作動中であることを示す「作動中表示」と、そのシステムＡが停止中であることを示す「停止中表示」とを表示する一方、「システム作動開始します」と「システム作動停止します」の表示ボタンが表示されている。したがって、「システム作動開始します」の表示ボタンを押すか、または初期設定のシステム作動時間が経過すると自動的に作動を開始する。一方、スロットマシン監視システムＡの作動が開始し、「システム作動停止します」の表示ボタンを押すと、スロットマシン監視システムＡの作動を停止させることができる。
【００７８】
したがって、このスロットマシン監視システムＡによれば、スロットマシン１の確率設定値が設定されると、その確率設定値設定行為を電流センサーにより検出することができると共に、その確率設定値を光センサーにより読み込むことができる。さらに、その設定された確率設定値とその設定日時がホールコンピュータ２２により記録され、その確率設定値設定日時が予め設定されている正規の日時であるか否かが判断され、その確率設定値設定日時が正規の日時でないときは不正設定として警報を出力することができる。
【００７９】
したがって、確率設定値の設定行為については不正設定のみならず正規設定を含む全ての確率設定行為をホールコンピュータ２２に記録することができる。このために、ホール店員等内部の者による不正設定行為も検出し警報を出力することができる。
【００８０】
また、このスロットマシン監視システムＡによれば、スロットマシンの電源線の外面に電流センサー１７を装着し、この電流センサー１７を電源線に直接接続せず、さらに、当り確率表示器１１ｂに光センサー１８を設けることにより、この当り確率表示器１１ｂから間接的に当り確率設定値を読み込むので、スロットマシン１を改造せずに確率設定値の設定行為を検出し、その確率設定値とを読み込むことができる。
【００８１】
さらに、ホールコンピュータ２２により不正設定が検出されたときには警報を出力するので、不正設定が発生したことを知らしめ、注意を喚起することができる。
【００８２】
また、ホールコンピュータ２２によりスロットマシン１毎の過去の確率設定値の履歴を記録するので、その確率設定履歴を表示部２３により閲覧することができる。
【００８３】
このために、不正設定の多いスロットマシン１やその島、配列等を検討し、防犯対策を検討することができる。
【００８４】
なお、上記スロットマシン監視システムＡではスロットマシン１の改造が禁止されているために、電流センサー１７と光センサー１８とを設けた場合について説明したが、本発明はこれに限定されるものではなく、例えばスロットマシン１の製造時に、制御器１４から確率設定値信号を出力する出力端子を設け、この出力端子からの確率設定値信号を上記入出力ユニット２０およびリンクユニット２１を介してホールコンピュータ２２に与え、確率設定値を監視するように構成してもよい。
【００８５】
これによれば、各スロットマシン１毎に設ける電流センサー１７と光センサー１８とを削減することができるので、イニシャルコストとランニングコストの両者を低減することができる。
【００８６】
また、確率設定値信号出力端子から確率設定値信号を直接出力させ、ホールコンピュータ２２に与えるので、確率設定値の検出ないし監視精度を向上させることができる。
【００８７】
そして、上記スロットマシン監視システムＡに、ホール内の種々の機器から出力される種々のトラブル発生信号を受けてホールコンピュータ２２に与えるトラブル検出手段を設けてもよい。
【００８８】
すなわち、トラブル検出手段は、ホール内に設置されている両替機、プリペイド発券機、コイン貸出機、ジュースやコーヒー等の飲料，パンや菓子，たばこ等の各種自動販売機、コイン自動補給・回収装置、自動ドア等からの何らかのトラブル発生を示すトラブル発生信号を有線または無線で受信するトラブル検出手段を設け、このトラブル検出手段からこれらトラブル発生信号をホールコンピュータ２２に与え、このホールコンピュータ２２によりトラブルが発生した機器の警報を表示部２３に表示させ、警報を出力させるように構成してもよい。
【００８９】
これによれば、スロットマシン１の確率設定値の不正設定のみならず、ホール内の各種機器のトラブルの発生もホールコンピュータ２２により一元管理することができる。
【００９０】
さらに、自動ドアについては、その開閉を検出するドア開閉検出信号をホールコンピュータ２２に与え、そのドア開閉回数を演算し、その演算値に基づいてホール内に入店した遊技者、つまり顧客の入店数を演算させるように構成してもよい。また各店のホールコンピュータ２２を本社等のバックオフィスに設置された統括用のコンピュータシステムに双方向データ伝送可能に接続し、この統括用コンピュータにホールコンピュータ２２と同様の機能を持たせるように構成してもよい。
【００９１】
【発明の効果】
以上説明したように本発明によれば、スロットマシンに設けた電流センサーにより確率設定値の設定行為を検出し、光センサーにより、その確率設定値を検出することができるうえに、その確率設定値の設定が不正であるか否かを検出することができる。
【００９２】
また、スロットマシンの電源線に電流センサーを直接接続せずに、電源線の外面に電流センサーを着脱可能に装着する一方、確率設定値を表示する表示器に、その確率設定値表示を読取り可能な光センサーを設けたので、スロットマシン自体の違法改造を回避することができる。
【図面の簡単な説明】
【図１】本発明の第１の実施形態に係るスロットマシン監視システムの全体構成を示すブロック図。
【図２】図１で示すスロットマシンの正面斜視図。
【図３】図２で示すスロットマシンの前面パネルを開扉した状態の正面図。
【図４】図１で示すホールコンピュータの表示部に表示される画面をほぼ操作手順通りに示すフローチャート。
【図５】図１で示すユーザ認証画面の詳細の一例を示す図。
【図６】図１で示すメイン画面の詳細の一例を示す図。
【図７】図１で示すＩＤ登録画面の詳細の一例を示す図。
【図８】図１で示すＩＤ一覧画面の詳細の一例を示す図。
【図９】図１で示す日時・時間の登録・変更画面の詳細の一例を示す図。
【図１０】図１で示す台番入力画面の詳細の一例を示す図。
【図１１】図１で示す機種名の登録・変更画面の詳細の一例を示す図。
【図１２】図１で示す登録内容参照画面の詳細の一例を示す図。
【図１３】図１で示す近日設定値参照画面の詳細の一例を示す図。
【図１４】図１で示す期日設定値の参照画面の詳細の一例を示す図。
【図１５】図１で示す島別設定値の参照画面の詳細の一例を示す図。
【図１６】図１で示す機種別設定値の参照画面の詳細の一例を示す図。
【図１７】図１で示す検索履歴画面の詳細の一例を示す図。
【図１８】図１で示す警報発生画面の詳細の一例を示す図。
【図１９】図１で示す警報解除画面の詳細の一例を示す図。
【図２０】図１で示すシステム作動・解除画面の詳細の一例を示す図。
【符号の説明】
Ａ  スロットマシン監視システム
１  スロットマシン
４ａ，４ｂ，４ｃ  表示窓
７ａ，７ｂ，７ｃ  リール
８ａ，８ｂ，８ｃ  ストップボタン
９  スタートレバー
１４  制御器
１６  電源スイッチ
１６ａ  電源スイッチ
１６ｂ  設定許可錠
１７  電流センサー
１８  光センサー
２２  ホールコンピュータ
【図１】
2005013426.tif 000003
【図２】
2005013426.tif 000004
【図３】
2005013426.tif 000005
【図４】
2005013426.tif 000006
【図５】
2005013426.tif 000007
【図６】
2005013426.tif 000008
【図７】
2005013426.tif 000009
【図８】
2005013426.tif 000010
【図９】
2005013426.tif 000011
【図１０】
2005013426.tif 000012
【図１１】
2005013426.tif 000013
【図１２】
2005013426.tif 000014
【図１３】
2005013426.tif 000015
【図１４】
2005013426.tif 000016
【図１５】
2005013426.tif 000017
【図１６】
2005013426.tif 000018
【図１７】
2005013426.tif 000019
【図１８】
2005013426.tif 000020
【図１９】
2005013426.tif 000021
【図２０】
2005013426.tif 000022